(57)【要約】ワイプが消費されて収納体内のワイプ積層体の嵩高が減少した時に、オリフィス部材がワイプ積層体の表面に常に押し付けられるようにしたワイプディスペンサを提供する。  複数枚のワイプからなるワイプ積層体と、該ワイプ積層体を内部に収納可能であり、前記ワイプを通過可能な取出孔からワイプを外部に引き出し可能な取出孔部材が設けられた収納体と、前記取出孔を外方から閉塞及び開放自在な蓋体と、を備え、前記ワイプ積層体を前記収納体に収納してなるワイプディスペンサにおいて、取出孔部材とワイプ積層体との間に、取出孔からワイプが引き出される際に該ワイプに抵抗を付与するためのオリフィスが形成されたオリフィス部材が設けられており、取出孔からワイプが引き出されることに伴うワイプ積層体の嵩の減少量に応じて、前記オリフィス部材のオリフィスが収納体の奥方側に移動するように構成され、前記オリフィス部材は、取出孔部材に支持されていて、収納体の奥方側に向かって付勢されている。
2014141494.tif 000002
【特許請求の範囲】
【請求項１】
複数枚のワイプからなるワイプ積層体と、
該ワイプ積層体を内部に収納可能であり、前記ワイプを通過可能な取出孔からワイプを外部に引き出し可能な取出孔部材が設けられた収納体と、
前記取出孔を外方から閉塞及び開放自在な蓋体と、を備え、
前記ワイプ積層体を前記収納体に収納してなるワイプディスペンサにおいて、
取出孔部材とワイプ積層体との間に、取出孔からワイプが引き出される際に該ワイプに抵抗を付与するためのオリフィスが形成されたオリフィス部材が設けられており、
取出孔からワイプが引き出されることに伴うワイプ積層体の嵩の減少量に応じて、前記オリフィス部材のオリフィスが収納体の奥方側に移動するように構成され、
前記オリフィス部材は、取出孔部材に支持されていて、収納体の奥方側に向かって付勢されていることを特徴とするワイプディスペンサ。
【請求項２】
上記オリフィス部材を上記付勢力に抗する方向に引き寄せた状態に保持するための保持材が、上記オリフィス部材を保持した状態を解除することができるように設けられている請求項１に記載のワイプディスペンサ。
【請求項３】
上記保持材は、上記取出孔を通じて外方からアクセスすることにより、上記オリフィス部材を保持しない状態にすることができるように設けられている請求項２に記載のワイプディスペンサ。
【請求項４】
上記取出孔を密封し且つ上記取出孔外に取り外すことにより上記取出孔を開口状態にすることができる開封部材が設けられていて、上記開封部材を上記取出孔から取り外せば上記保持材が上記オリフィス部材を保持しない状態になるように、上記保持材が上記開封部材に連設されている請求項２に記載のワイプディスペンサ。
【請求項５】
上記保持材が上記開封部材の裏面側から上記収納体内側に突出して設けられていて、上記オリフィス部材と係脱自在に係合する係合部が上記保持材に形成され、上記開封部材が上記取出孔を密封した状態では、上記係合部が上記オリフィス部材と係合して上記保持材を上記取出孔部材側に引き寄せた状態に保持し、上記開封部材が上記取出孔から取り外されると、それと共に上記オリフィス部材に対する上記係合部の係合が外れて上記オリフィス部材が上記ワイプ積層体に押し付けられた状態になる請求項４に記載のワイプディスペンサ。
【請求項６】
上記蓋体を開放状態にすると上記保持材が上記オリフィス部材を保持しない状態になるように、上記保持材が上記蓋体に連設されている請求項２に記載のワイプディスペンサ。
【請求項７】
上記取出孔を密封し且つ上記取出孔外に取り外すことにより上記取出孔を開口状態にすることができる開封部材が設けられていて、上記保持材が、上記開封部材の裏面と上記オリフィス部材とを接着する接着剤であり、上記開封部材が上記取出孔を密封した状態では、上記接着剤が上記開封部材の裏面と上記オリフィス部材とを接着して上記オリフィス部材を上記付勢力に抗して引き寄せた状態に保持し、上記開封部材が上記取出孔から取り外されると、上記開封部材と上記オリフィス部材との接着が剥がれて、上記オリフィス部材が上記ワイプ積層体に押し付けられた状態になる請求項２に記載のワイプディスペンサ。
【請求項８】
上記オリフィス部材が上記収納体の取出孔の内側所定位置に片持ち支持されていて、そのオリフィス部材の自由端側が上記収納体の奥側に向かって付勢されている、請求項１から７のいずれかに記載のワイプディスペンサ。
【請求項９】
上記オリフィス部材が上記収納体の取出孔の内側所定位置に可動に配置されていて、そのオリフィス部材全体が上記収納体の奥側に向かって付勢されている、請求項１から７のいずれかに記載のワイプディスペンサ。
【発明の詳細な説明】
【技術分野】
【０００１】
本発明は、ワイプ積層体が収納体内に収納されたワイプディスペンサに関する。なお、本発明において「ワイプ」とは拭き材を示し、より詳しくは、柔軟な繊維シートに薬液を付けたものであって、固体表面の不要物等を拭き取る機能を発揮可能なものを示す。ワイプの概念には、例えば、ワイピング、ボディーウォッシュ、メーク落とし、トイレの便座クリーナ等が含まれる。
【背景技術】
【０００２】
袋状等に形成されたワイプディスペンサにおいては、多数のワイプを連続的に折り重ね合わせて形成されたワイプ積層体が収納体内に収納されていて、収納体に密着して取り付けられた取出孔部材には、ワイプを一枚ずつ引き出すための取出孔が形成されている。
ワイプ積層体では、各ワイプが隣り合うワイプと端部どうしで重なり合っていることにより、先頭のワイプが引っ張られるとそれに続くワイプも連続して移動する状態が形成されうる。以下では、その状態の複数のワイプのセットを「ワイプ係繋体」と称する。
ワイプディスペンサにおいて取出孔の内側には、通過するワイプに抵抗を付与するためのオリフィスが形成されたオリフィス部材が配置されている。それにより、ワイプが収納体内から外方に引き出される際には、オリフィスを通過したばかりの位置にある複数のワイプの境界部においてワイプ係繋体が分離されて、それより先側に位置する先頭の一枚のワイプだけが取り出される（例えば、特許文献１、２）。
【先行技術文献】
【特許文献】
【０００３】
【特許文献１】特開２００４−１９６３０３号公報
【特許文献２】特開２０１０−１７３６４９号公報
【発明の概要】
【発明が解決しようとする課題】
【０００４】
ワイプ積層体が収納体内に格納されたワイプディスペンサにおいては、ワイプが消費されるのに伴って、収納体内に折り重ね合わされて収納されているワイプ積層体の嵩高が次第に低くなっていく。これに伴い、ワイプ積層体の表面とオリフィスとの間隔が離れ、オリフィスを通過するワイプ係繋体の緊張状態が緩みやくなる。その結果、ワイプ係繋体がオリフィスをすり抜け易くなってワイプ係繋体に付与される抵抗が小さくなる。
すると、先行して引き出されるワイプと次のワイプとの境界部においてワイプ係繋体がうまく分離しなかったり、ワイプ係繋体の分離のタイミングに遅れが発生したりして、ワイプが使用者の意に反して複数枚連なって出てきて必要以上の枚数のワイプが露出するといった事態が生じる虞がある。必要以上の枚数のワイプが露出すると、その外側に設けられている蓋体がそれらのワイプのためにしっかりと閉じられなくなり、ワイプ積層体が収納体内で乾燥して使用時の品質の低下をまねいてしまったりする場合がある。
また、ワイプディスペンサにおいては、構成部材がワイプディスペンサの製造組み立て作業時に他の部材などに不必要に接触して障害となってしまうという虞ができるだけ抑制されることが重要である。ワイプディスペンサの自動製造機を用いた自動組み立て等においても製造時に組み立て作業をスムーズにする点で望ましい。
本発明は、ワイプが消費されて収納体内におけるワイプ積層体の嵩高が次第に低くなっても、ワイプ係繋体に付与される抵抗が小さくならないようにすることができ、その結果、先端のワイプとその次のワイプとがうまく分離されて、収納体内でワイプ積層体が乾燥する等の不具合の発生も防止することができるワイプディスペンサを提供することを目的とする。
また本発明は、ワイプディスペンサの構成部材がその製造組み立て作業時に他の部材などに不必要に接触して障害となってしまうようなことがなく、製造時に組み立て作業をスムーズ且つ容易に行うことができるワイプディスペンサを提供することを目的とする。
【課題を解決するための手段】
【０００５】
上記の目的を達成するため、本発明のワイプディスペンサは、複数枚のワイプからなるワイプ積層体と、ワイプ積層体を内部に収納可能であり、ワイプを通過可能な取出孔からワイプを外部に引き出し可能な取出孔部材が設けられた収納体と、取出孔を外方から閉塞及び開放自在な蓋体とを備え、ワイプ積層体を収納体に収納してなるワイプディスペンサにおいて、取出孔部材とワイプ積層体との間に、取出孔からワイプが引き出される際にワイプに抵抗を与するためのオリフィスが形成されたオリフィス部材が設けられており、取出孔からワイプが引き出されることに伴うワイプ積層体の嵩の減少量に応じて、オリフィス部材のオリフィスが収納体の奥方側に移動するように構成され、オリフィス部材は、取出孔部材に支持されていて、収納体の奥方側に向かって付勢されているものである。
そして、本発明においては、オリフィス部材を付勢力に抗する方向に引き寄せた状態に保持するための保持材が、オリフィス部材を保持した状態を解除することができるように設けられていてもよい。また、その場合、保持材は、取出孔を通じて外方からアクセスすることにより、オリフィス部材を保持しない状態にすることができるように設けられていてもよい。
また、本発明においては、取出孔を密封し且つ取出孔外に取り外すことにより取出孔を開口状態にすることができる開封部材が設けられていて、開封部材を取出孔から取り外せば保持材がオリフィス部材を保持しない状態になるように、保持材が開封部材に連設されていてもよい。その場合、保持材が開封部材の裏面側から収納体内側に突出して設けられていて、オリフィス部材と係脱自在に係合する係合部が保持材に形成され、開封部材が取出孔を密封した状態では、係合部がオリフィス部材と係合して保持材を取出孔部材側に引き寄せた状態に保持し、開封部材が取出孔から取り外されると、それと共にオリフィス部材に対する係合部の係合が外れてオリフィス部材がワイプ積層体に押し付けられた状態になるようにしてもよい。
また、本発明においては、蓋体を開放状態にすると保持材がオリフィス部材を保持しない状態になるように、保持材が蓋体に連設されていてもよい。
本発明においては、取出孔を密封し且つ取出孔外に取り外すことにより取出孔を開口状態にすることができる開封部材が設けられていて、保持材が、開封部材の裏面とオリフィス部材とを接着する接着剤であり、開封部材が取出孔を密封した状態では、接着剤が開封部材の裏面とオリフィス部材とを接着してオリフィス部材を付勢力に抗して引き寄せた状態に保持し、開封部材が取出孔から取り外されると、開封部材とオリフィス部材との接着が剥がれて、オリフィス部材がワイプ積層体に押し付けられた状態になるようにしてもよい。
そして、本発明においては、オリフィス部材が収納体の取出孔の内側位置付近に片持ち支持されていて、そのオリフィス部材の自由端側が収納体の奥側に向かって付勢されていてもよく、或いは、オリフィス部材が収納体の取出孔の内側位置付近に可動に配置されていて、そのオリフィス部材全体が収納体の奥側に向かって付勢されていてもよい。
【発明の効果】
【０００６】
本発明によれば、オリフィス部材が付勢力でワイプ積層体の表面に常に押し付けられることにより、ワイプが消費されて収納体内におけるワイプ積層体の嵩高が次第に低くなっても、ワイプ積層体の表面とオリフィスとの間隔が離れなくなり、オリフィスからワイプに付与される抵抗が小さくならないので、ワイプがうまく分離されて使用品質が向上する。また、本発明によれば、保持材が設けられた場合には、ワイプディスペンサの未使用状態において、保持材がオリフィス部材を付勢力に抗する方向に引き寄せた状態に保持するので、ワイプディスペンサの組み立て作業を自動機でスムーズ且つ容易に行うことができる。
【図面の簡単な説明】
【０００７】
図１は、本発明の第１の実施例に係るワイプディスペンサの外観斜視図である。
図２は、本発明の第１の実施例に係るワイプディスペンサの側面断面図（図１におけるＩＩ−ＩＩ断面図）である。
図３は、本発明の第１の実施例に係るワイプディスペンサの取出孔部材部分の斜視図であり、（３Ａ）には外面側、（３Ｂ）には裏面側が図示されている。
図４は、本発明の第１の実施例に係るワイプディスペンサからワイプが取り出される際の動作を略示する部分側面断面図であり、（４Ａ）には取り出し開始状態、（４Ｂ）には取り出し中の状態、（４Ｃ）には取り出し完了後の状態が図示されている。
図５は、本発明の第１の実施例に係るワイプディスペンサの使用状態の側面断面図である。
図６は、本発明の第１の実施例に係るワイプディスペンサの使用開始前の状態の側面断面図である。
図７は、本発明の第１の実施例に係るワイプディスペンサの未使用状態における取出孔部材部分の外面側の斜視図である。
図８は、本発明の第１の実施例に係るワイプディスペンサの未使用状態における取出孔部材部分の裏面側の斜視図である。
図９は、本発明の第１の実施例に係るワイプディスペンサから開封部材が取り外される動作を略示する部分側面断面図であり、（９Ａ）には取り外し前の状態、（９Ｂ）には取り外し中の状態が図示されている。
図１０の（１０Ａ）、（１０Ｂ）は、本発明の第２と第３の実施例に係るワイプディスペンサの取出孔部材部分の側面断面図である。
図１１は、本発明の第４の実施例に係るワイプディスペンサの取出孔部材部分の斜視図である。
図１２は、本発明の第５の実施例に係るワイプディスペンサの取出孔部分を裏側から見た状態の斜視図である。
【発明を実施するための形態】
【０００８】
本発明の実施例を図面に基づいて説明する。図１〜図９は本発明の第１の実施例のワイプディスペンサを示している。なお、図２から図５では説明の便宜上、後述する保持材２５の記載を省略する。
図１はワイプディスペンサの外観図である。開口部２が一つの面の中央部分に形成された収納体３は、気密性を有する可撓性のあるプラスチックフィルム等により、例えばピロー形状の袋状に形成され、開口部２以外の部分はヒートシール等によって気密に封止されている。収納体３は一層構造でもよいが、複数層の構造にしてもよく、その内部には後述するワイプ積層体６Ｎが収納されている。なお、収納体３として袋状以外のものを用いてもよく、例えば剛性のあるプラスチック等で形成された箱状のもの等を使用してもよい。
開口部２は、収納体３の最も広い面の中央部分に四角形状に開口形成されている。ただし開口部２の形状は、この例に限定されず、その他の形状であっても差し支えない。開口部２には剛性あるプラスチック材からなる取出孔部材４が密着して固着されている。取出孔部材４には、収納体３内から取り出されるワイプが通過する取出孔８が収納体３の開口部２と連通して形成され、取出孔８の外端口元を外方から閉塞及び開放自在な蓋体５が開閉自在に取出孔部材４に取り付けられている。
蓋体５は、閉じ状態においては取出孔８の外端口元の縁部に係合して取出孔８を閉塞するする。取出孔部材４と蓋体５は、例えばポリエチレン、ポリプロピレン等の熱可塑性樹脂により、回動動作の軸になるヒンジ部５ａを介して一体成型で形成されている。取出孔部材４は、開口部２の縁部に沿って収納体３の内面側にホットメルト又は熱溶着等の手段で気密に固着されている。図１にＰで示される斜線部分がその固着部分である。なお、取出孔部材４と蓋体５は、それぞれ別体で形成されて組み合わせ可能に構成されてもよい。
図２は、図１におけるＩＩ−ＩＩ断面図である。なお、取出孔８の奥側の端部には、取出孔８を密封することができ且つ取出孔８の外側に取り外すことにより取出孔８を開口状態にすることができる後述の開封部材が配置されているが、図２にはその開封部材が取り外された後の状態が図示されている。
収納体３内に収納されたワイプ積層体６Ｎは、複数枚のワイプを連続的に折り重ね合わせて形成されている。ワイプ積層体６Ｎは、個別に独立した枚葉のワイプをいわゆるＺ折等の態様で折り畳んで、隣り合うワイプどうしを互いに端部どうしで重ね合わせたもの等であってもよい。そのようなワイプ積層体６Ｎの最先端（即ち、最上段）のワイプを引っ張ると、隣り合うワイプどうしが各々重なりあっていることにより、最先端のワイプに引っ張れられて後続のワイプが移動する。前述のように、本件では、最先端のワイプに引っ張れられて後続のワイプが移動しうる状態にある連続したワイプを、ワイプ係繋体６と称する。ワイプ係繋体６においては、隣り合うワイプどうしの接触部が分離可能であり、ワイプ係繋体６の最先端部分で後続と接触しなくなった一枚のワイプ６ａがワイプ係繋体６から分離される。
ワイプの素材は、例えば合成繊維若しくは天然繊維からなる紙、織布又は不織布等を用いて成形された基布に、薬液等を含浸させたものである。薬液等としては、例えば、アルコール類、水又はこれらの混合物があげられるが、香料、抗菌剤、消臭剤、界面活性剤、防腐剤、色素、消泡剤、酸化防止剤、清澄剤、可溶化剤等を配合してもよい。また、その他の材料からなる基布や薬液等を使用してもよい。
取出孔８の外周の外側には、短筒状の外縁周壁１０が取出孔８と同心円をなす状態に形成されている。外縁周壁１０と取出孔８との間の隙間は奥側で塞がっており、蓋体５が閉じられると、蓋体５の側壁縁が取出孔８と外縁周壁１０との間の凹部に潜った状態になる。取出孔８は、使用開始までは、その奥側端部に取り付けられている後述の開封部材２０により密封されているが、ワイプディスペンサの使用が開始されて開封部材２０が取り外されると、図３の（３Ａ）に示されるように、取出孔８内が収納体３内と完全に連通した状態になる。
図３の（３Ｂ）に示されるように、取出孔部材４の裏面に連設されて取出孔８の内側位置にあたる収納体３内に配置された「構成部材」であるオリフィス部材１４には、通過するワイプ（ワイプ係繋体６）に抵抗を付与するためのオリフィス１３が形成されている。オリフィス１３は公知のものであり、図４（４Ａ）、（４Ｂ）、（４Ｃ）に順に図示されるように、ワイプ係繋体６が収納体３内から外方に引き出される際に、オリフィス１３からその内側を通過するワイプに摩擦抵抗が作用することにより（４Ａ）、オリフィス１３内を通過したばかりの位置にある二つのワイプの境界部においてワイプどうしが分離され（４Ｂ）、そこより先側に位置する最先端のワイプ６ａだけが外部に取り出される。そして、残されたワイプ係繋体６の最先端部分６ａＮがオリフィス１３から少しだけ外方に突出した状態になる（４Ｃ）。
なお、この実施例では、図３等に図示されるように、オリフィス１３として、並設された複数の長円形の孔１３ａの仕切り部にスリット１３ｂが形成された態様のものが例示されている。ただし、オリフィス１３は各種形状のものが公知であり、どのような形状のオリフィス１３を採用しても差し支えない。オリフィス１３の形状が公知でないものであっても差し支えない。
この実施例のワイプディスペンサでは、オリフィス１３が形成されたオリフィス部材１４は、図２及び図３に示されるように、取出孔部材４の裏面部分に片持ち支持されている。ただし、本発明のオリフィス部材１４は、片持ち支持以外の手段で支持されていても差し支えない。
この例に示すオリフィス部材１４は、基端１４ａ側の所定位置から自由端１４ｂ側に向かって収納体３の内側方向に向かって凸状に湾曲した板状に形成されていて、オリフィス部材１４の自由端１４ｂ側が収納体３の奥方側（即ち、ワイプ積層体６Ｎの表面に押し付けられる方向）に向かって付勢されている。
この実施例では、オリフィス部材１４自体が有する弾性によりオリフィス部材１４に付勢力が付与されている。ただし、オリフィス部材１４には、付勢力をオリフィス部材１４に与えるための弾性材が別設されてもよい。なお、オリフィス部材１４の基端１４ａとは、オリフィス部材１４が取出孔部材４に片持ち支持されている場合においてその支持部側の端部付近の領域をいい、自由端１４ｂとは、基端１４ａの反対側の端部付近であって取出孔部材４で支持されていない側の端部付近の領域をいう。
図２に破線で示されるように、オリフィス部材１４は、負荷がかかっていない自然状態（Ｔ０）では収納体３の奥方向に斜めに傾斜するように伸び出していて、自由端１４ｂが収納体１５の底部より下方に位置するように形成されている。そしてオリフィス部材１４は、ワイプ積層体６Ｎの表面に押し当てられた状態では自然状態からその状態まで弾性変形している。その結果、オリフィス部材１４の弾性変形で生じた弾性力により、オリフィス部材１４の自由端１４ｂ側は矢印Ｋで示されるように、収納体３の奥方側に向かって付勢されている。
このようにオリフィス部材１４の自由端１４ｂ側が収納体３の奥方側に向かって付勢されていることにより、図２にＴ１、Ｔ２の順に例示されるように、ワイプが使用されてワイプ積層体６Ｎの嵩高が次第に減少しても、それに伴ってオリフィス部材１４が常にワイプ積層体６Ｎの表面に押し付けられた状態を保つ。そして、図５に示されるように、ワイプ積層体６Ｎの嵩高が減少した状態では、オリフィス部材１４が、ワイプ係繋体６の引き出し方向に対して傾いた状態になり、オリフィス１３内を通過して外部側に出た部分が向かう方向（退出方向（図５において矢印Ｓ））と、オリフィス１３内を通過する直前のワイプ係繋体６が向かう方向（進入方向（図５において矢印Ｒ））とが角度をなすようになる。
そのようにして、ワイプ係繋体６の退出方向Ｓと進入方向Ｒとのなす角度が大きくなるほどオリフィス１３からワイプに対して強い摩擦抵抗が作用する。その結果、先行するワイプ係繋体６の最先端のワイプ６ａを後続のワイプ係繋体６から適切な位置で分離させて引き離すことができる。
このように構成された実施例のワイプディスペンサは、ワイプ積層体６Ｎの嵩高が低くなってもオリフィス１３からワイプ（ワイプ係繋体６）に対して適度な摩擦抵抗が負荷された状態が保たれるので、ワイプ係繋体６がオリフィス１３から適度な摩擦抵抗を受けずにオリフィス１３を大きくすりぬけてしまうような事態が生じにくくなる。また、ワイプ係繋体６の分離が生じるタイミングに遅れが発生しなくなる結果、ワイプが必要以上に外部に露出してしまう虞を防止でき、蓋体５を確実に閉じることができて、収納体３内に収納されているワイプ積層体６Ｎの乾燥を防止することができる。
図６は、ワイプディスペンサが使用開始される前の状態を示しており、図１におけるＩＩ−ＩＩ断面に相当する断面図である。ワイプディスペンサの未使用時（即ち、使用開始前）は、収納体３内に収納されているワイプ積層体６Ｎの乾燥を完全に防止するために、蓋体５より内側に設けられた開封部材２０により取出孔８が完全に密封されている。そして、開封部材２０を取出孔８から外側に取り外せば、取出孔８の密封状態を解除することができる。
開封部材２０は、取出孔８の底部を閉塞する状態を形成するように取出孔部材４と一体成型で形成されている。開封部材２０の外周部には、その全周にわたってＶ字状の断面をなす脆弱部２１が形成されている。また、開封部材２０とその周辺部分を抜き出して図示する図７にも示されるように、開封部材２０の表面側には、指先で外方に引っ張ることができるプルトップリング２２が開封部材２０と一体成型されて形成されている。
開封部材２０が取出孔８から取り外されていないワイプディスペンサの未使用時の状態においては、取出孔８が開封部材２０で密閉されており、プルトップリング２２を外方に引っ張ると、脆弱部２１がせん断破壊されて開封部材２０が外側に取り外される。このとき、取出孔８の内側領域全体が外部と収納体３内とを連通させる部分をなし、収納体３内からワイプ係繋体６を引き出せる状態が形成される。なお、一度取り外された開封部材２０については、再び元の状態になるように取出孔８に取り付けることができない。
ワイプディスペンサには保持材２５が設けられることが好適である。図６及び図７に示す例では、開封部材２０の裏面（即ち、収納体３内に面する側の面）から収納体３の内部の方向に向かって、一対の保持材２５が突出形成されている。保持材２５は、オリフィス部材１４を付勢力に抗して取出孔部材４側に引き寄せた状態に保持して、オリフィス部材１４がワイプ積層体６Ｎに押し付けられないようにするものである。
この実施例の保持材２５は、オリフィス部材１４部分を裏側から見た状態を示す図８、及び、前出の図６、図７等に図示されるように、開封部材２０の裏面側から突出する細いロッド状に形成されていて、開封部材２０に連設されている。具体的には、この例に示す保持材２５は開封部材２０と一体成型されている。また、この実施例では保持材２５が二つ設けられており、オリフィス部材１４の左右両側部の裏面に係脱自在に係合する係合部２５ａが、各保持材２５の先端に形成されている。係合部２５ａはこの実施例ではフック状に形成されているが、その他の形状であっても差し支えない。オリフィス部材１４に対する係合部２５ａによる係合は、保持材２５を適宜に移動させた場合にオリフィス部材１４に対する係合部２５ａの係合が外れるように形成される。
図９の（９Ａ）に示されるように、開封部材２０が取り外されていない未使用の状態では、係合部２５ａがオリフィス部材１４の左右両側に係合していて、オリフィス部材１４を回動させようとする付勢力に抗して、オリフィス部材１４を取出孔部材４の裏面近傍に引き寄せた状態を保持している。このとき、図６に示されるように、オリフィス部材１４はワイプ積層体６Ｎの表面に触れない位置に保持されうる。
このように、ワイプディスペンサにおけるオリフィス部材１４が取出孔部材４の裏面の近傍位置に引き寄せた状態と保持できるように構成されていると、ワイプディスペンサの製造工程においても作業工程がスムーズに実施することが容易となる。すなわち、オリフィス部材１４を取出孔部材４の裏面の近傍位置に引き寄せた状態とした後の作業工程で、オリフィス部材１４が収納体３の内部に向かう方向に不用意に飛び出す虞が抑制されることから、収納体３と取出孔部材４との固着工程といった各作業を自動製造機等でスムーズかつ容易に行うことができるのである。
そして、図９の（９Ｂ）に示されるように、ワイプディスペンサの使用開始にあたって取出孔８を通じて開封部材２０を外部に取り外すと、開封部材２０と一体に形成されている保持材２５の係合部２５ａとオリフィス部材１４との係合が外れ、矢印Ｋで示されるように、オリフィス部材１４が付勢力によって収納体３の奥側方向に回動する。その結果、ワイプディスペンサの使用状態では、図２に実線で示されるように、オリフィス部材１４がワイプ積層体６Ｎの表面に押し付けられるようになる。
本発明のワイプディスペンサは、上記の実施例に限られず、様々な実施態様が含まれる。例えば図１０には、オリフィス部材１４に付勢力を付与する機構についての他の実施例が示されている。図１０に示す例では、オリフィス部材１４に付勢力を付与する付勢部材が設けられており、（１０Ａ）に示される第２の実施例では、付勢部材としてスプリング１１５が設けられ、スプリング１１５によってオリフィス部材１４が付勢され、（１０Ｂ）に示される第３の実施例では、付勢部材として蛇腹２１５が設けられ、蛇腹２１５によりオリフィス部材１４が付勢されている。
これら第２、第３の実施例では、第１の実施例と異なり、オリフィス部材１４は付勢力によって回動するように構成されているのではなく、オリフィス部材１４全体が付勢力によりワイプ積層体６Ｎの表面側に向かって真っすぐに移動するように構成されている。図示しないが、オリフィス部材１４を付勢する付勢部材としては、ゴム、プラスチック等を使用してもよい。第２、第３の実施例では、オリフィス部材１４に付勢力を付与する付勢部材の他の構成については、第１の実施例と同様でよい。
また、本発明のワイプディスペンサは、オリフィス部材１４の支持構造ついてみても、第１の実施例のようなオリフィス部材１４を片持ち支持した構造を有するものに限らず、第２及び第３の実施例で示すようなオリフィス部材１４を両端で支持する構造、或いは、オリフィス部材１４をなす円弧状の全体を支持する構造等といった各種の態様を採り得るものである。
また、本発明のワイプディスペンサは、オリフィス部材１４自体の構造についても、第１の実施例のような構造に限定されない。例えば、第１の実施例のような片持ちのオリフィス部材１４を複数組み合わせた構造を有するものオリフィス部材として採用してもよいし、パンタグラフ状の形状にしたものをオリフィス部材として用いたりするなど各種の態様を採り得るものである。
図１１は、本発明の第４の実施例を示しており、収納体３の開口部２に固着された取出孔部材４に、第１の実施例と同様の保持材２５の基部が取り付けられている。図１１では開封部材２０は設けられていない。但し、開封部材２０が設けられていても差し支えない。本発明の第４の実施例では、取出孔部材４に保持材２５を取り付けた構成の他の構成については、第１の実施例と同様である。この第４の実施例においては、ワイプディスペンサの使用開始前では、オリフィス部材１４が、付勢力に抗して保持材２５により取出孔部材４の裏側付近に引き寄せられ、ワイプ積層体６Ｎの表面に押し付けられない状態が保持されている。そして、ワイプディスペンサの使用開始の際には、器具又は指先等を取出孔８に通してその奥に位置する保持材２５にアクセスすることにより、オリフィス部材１４に対する係合部２５ａの係合を解除し、オリフィス部材１４がワイプ積層体６Ｎの表面に押し付けられた使用状態にすることができる。
本発明のワイプディスペンサは、オリフィス部材１４に対する保持材２５の係合解除が、取出孔８を通じて保持材２５にアクセスすることによって行われるように構成されている場合に限定されず、その他のアクセス等によりオリフィス部材１４を保持しない状態にするようにしてもよい。図１１に示される実施例の構成であっても、ワイプディスペンサの製造工程を適宜調製することオリフィス部材１４を保持しない状態にするようにしてもよい。例えば、ワイプディスペンサの製造工程を、収納体３と取出孔部材４とを互いに固着する固着工程を行う前に、取出孔部材４の裏側から保持材２５に直接アクセスしてオリフィス部材１４を保持しない状態にするように構成することが挙げられる。これは、オリフィス部材１４に対する保持材２５の係合解除を行うためのピン等を設けて、固着工程を行う前にピンを操作することで実現できる。また、製造工程においてオリフィス部材１４をワイプ積層体６Ｎに押し付けられた状態とすることが行われることにより、保持材２５がオリフィス部材１４を保持しない状態になるようにしてもよい。また、製造工程の終了後に、収納体３の裏側から押し付け力等を加えることが行われることにより、保持材２５がオリフィス部材１４を保持しない状態になるようにしてもよい。
本発明のワイプディスペンサにおいては、図示は省略するが、保持材２５は、開封部材２０の裏面とオリフィス部材１４を接着する接着剤で構成されてもよい。この場合、開封部材２０とオリフィス部材１４などは接着剤で接着可能な形状（例えばシート状等）に形成される。このように構成されたワイプディスペンサにおいては、開封部材２０で取出孔８を密封した状態である未使用の状態では、接着剤で開封部材２０の裏面とオリフィス部材１４とを接着した状態が形成されてオリフィス部材１４を取出孔部材４の裏面近傍に引き寄せた状態が保持されている。そして、開封部材２０が取出孔８から取り外されると、開封部材２０とオリフィス部材１４との接着が剥がれ、オリフィス部材１４がワイプ積層体６Ｎに押し付けられた状態になる。このようにしても、第１の実施例等と同様の作用効果を得ることができる。
本発明の第５の実施例に係るワイプディスペンサについて説明する。図１２は、本発明の第５の実施例に係るワイプディスペンサの取出孔部分を裏側（即ち、収納体３の内側）から見た状態の斜視図である。本発明の第５の実施例では、図１２に示す蓋体５と取出孔部材４とオリフィス部材１４の複合構造体と保持体２５の構成の他の構成については、第１の実施例と同様である。また、図１２に例示する第５の実施例では、第１の実施例に例示する開封部材２０に対応する構造は設けられていない。ただし、このことは、ワイプディスペンサに開封部材２０のような収納体３を密封状態とすることの可能な部材を設けられることを禁止しない。例えば、ワイプディスペンサが、開口部２を覆うようにフラップシール状の部材で被覆し、そのフラップシール状の部材上に蓋体５と取出孔部材４とオリフィス部材１４の複合構造体を取り付けた構造を有してよい。この場合、蓋体５を開き、オリフィス部材１４のオリフィスからフラップシール状の部材を引き出することで収納体３の密封状態を解除することができる。
図１２の例において、蓋体５は、取出孔部材４に形成されている取出孔８の外端口元部に矢印Ａで示されるように開閉自在に配置されている。オリフィス部材１４は一端が取出孔部材４に取り付けられていて、ワイプ積層体６Ｎの方向に向かって矢印Ｂ方向に付勢された状態に、取出孔部材４より収納体３内側の領域に配置されている。なお、図１２に示す第５の実施例の一例においては、オリフィス部材１４は第１の実施例と同様の片持ちで支持されているが、第２、第３の実施例のようにオリフィス部材１４は、それ全体が移動するような構成或いはその他の構成でも差し支えない。
保持材２５は、蓋体５の裏面側に突出するように設けられている。そして、蓋体５が閉じられた状態において保持材２５と係合する係合孔２５Ｎがオリフィス部材１４に形成されている。この実施例では、係合孔２５Ｎはオリフィス部材１４を板面に対して垂直に貫通する貫通孔であり、保持材２５は先端部分が係合孔２５Ｎ内に抵抗を持って差し込まれる係合ピンである。
第５の実施例のワイプディスペンサにおいては、蓋体５が閉じられて保持材２５の先端が係合孔２５Ｎに差し込まれた状態では、保持材２５がオリフィス部材１４を蓋体５側に引き寄せた状態に保持し、蓋体５が矢印Ａで示されるように開かれると、保持材２５が係合孔２５Ｎから抜け出ることにより、オリフィス部材１４が、付勢力により矢印Ｂ方向に移動してワイプ積層体６Ｎに押し付けられた状態になる。その結果、第５の実施例のワイプディスペンサは、第１の実施例と同様の効果を得ることができる。
なお、係合孔２５Ｎに圧入される保持材２５の先端部分には、一定の力が加われば係合孔２５Ｎ内から確実に抜けるように、スリット等を形成してもよい。また、保持材２５は蓋体５に一体成型で形成されているが、別部材を蓋体５に取り付けても差し支えない。
なお、本発明は、上記の幾つかの実施例に限定されるものではなく、請求の範囲に記載された発明の概念に含まれる全ての態様を含むものである。
【図１】
2014141494.tif 000003
【図２】
2014141494.tif 000004
【図３】
2014141494.tif 000005
【図４】
2014141494.tif 000006
【図５】
2014141494.tif 000007
【図６】
2014141494.tif 000008
【図７】
2014141494.tif 000009
【図８】
2014141494.tif 000010
【図９】
2014141494.tif 000011
【図１０】
2014141494.tif 000012
【図１１】
2014141494.tif 000013
【図１２】
2014141494.tif 000014
【国際調査報告】
2014141494.tif 000015
2014141494.tif 000016
2014141494.tif 000017
2014141494.tif 000018